(57)【要約】      （修正有）【課題】引き出したコードを巻き取るときに、コードを一々少し引っ張ってから戻す操作を不要とし、押しボタンを押すだけのワンタッチ操作で巻き取りができ、しかも最長から最短に至るまで複数段回に分けて長さ調節を行える携帯電話用コード巻き取り器を提供する。【解決手段】対面する左右の壁体２（２′・２′′）のうち、一方の壁体２′にゼンマイ４を収納した円筒型リール３を回転できるように軸５で取付け、その外底面に沿って傾斜段差部３２を成形し、当該リールの内壁の約半周に渡ってコード収納ガイド６を設けてコード収納溝を形成し、収納溝にコードの中間部位を沿わせて収納し、その左右両側を同リールの円周面のコード引出し口７からコード１３を引き出し、他方の壁体２′にリール３の傾斜段差部３２に掛止する鉤針形ストッパー８とその当該段差部に掛脱させるための押しボタン１１を設ける。【選択図】図３
0003154608.tif 000002
【実用新案登録請求の範囲】
【請求項１】
対面する左右の壁体２（２′・２″）のうち、一方の壁体（２′）にゼンマイ（４）を収納した有底円筒型リール（３）を回転できるように軸（５）に取付けると共に、その外底円周の傾斜面（３1）に傾斜段差部（３2）を成形し、且つ当該リールの内周壁の約半周近くに渡ってコード収納ガイド（６）を成形してコード収納溝（６′）を形成し、当該収納溝にコードの中間部位を沿わせて収納し、且つその左右両側を同リールの円周面の切欠凹溝（７）から引き出し、他方の壁体にリールの傾斜段差部（３2）に掛止する鉤針形ストッパー（８）とその作動用押しボタン（１１）を設け、コードを引き出すために左右方向に引張力を与えたとき、リール（３）が鉤針形ストッパー（８）を瞬時に押し離す作動により全長の長さを複数段階に分けた長さで停止できるようにし、又は引き出したコード（１３）を巻き取るための押しボタン（１１）を押し続けることにより、鉤針形ストッパー（８）の掛止解除作動により最短に巻き取るようにすることを特徴とする携帯電話用コード巻取り器。
【請求項２】
対面する壁体２（２′・２″）のうち、他方の壁体（２″）の外面に円板状のバネ付きクリップ（１４）を設ける構成の請求項１記載の携帯電話用コード巻取り器。
【考案の詳細な説明】
【技術分野】
【０００１】
本考案は、携帯電話用コード巻取り器に関するもので、特に公知の同軸一リールを具えるイヤホーンコード収納巻取り器として、左右（又は上下）方向に同じ長さに均等に引き出されるコードを巻き取るときに、一気に最短長さに巻き取ることはもち論のこと、複数段階に分けて長さ調節して巻き取ることができるようにすることを目的とする。
【背景技術】
【０００２】
従来公知のコードリールにあっては、同軸コードリールの改良装置に関し、特に公知の同軸二リールを具えるイヤホーンコード収納ボックスの改良装置として、上、下コードの繰出される長さを同等或いは近似にする同軸コードリールの改良装置に関するものが知られている。
【０００３】
上記考案の要旨は、同軸コードリールの改良装置において、その構造は、巻取りリールの中心孔を単一軸部に回転自在に挿通し、リールの外周面を、概ね左、右周面に区分し、ゼンマイバネの底端を軸部に連結し、外端をリールの外周面上に接続し、ケーブルの適当な長さを取ってリール外周面上に係止して、上、下コードを構成し、右壁体の内壁面に前述の軸部を固定し、軸部を左壁体に挿入装着し、左、右周面上にコード収納部を形成し、コード収納部に上、下コードを巻いて収納し、これによりリール内の上コードが引き出される長さと下コードが同時に繰出される長さが等しくなるようにした構成である。
【特許文献１】実用新案登録第３１０２２０９号公報の考案
【０００４】
上記の特許文献１にあっては、その効果として、リール内の上コードが引き出される長さと、同時に放出される下コードの長さが同等或いは近似になり、応用範囲が拡大するとしている。
【考案の概要】
【０００５】
ところで、従来この種の巻取り器は、コードを引き出す場合は、一気に引き出すときはもち論こと、段階的に分けて行えるが、反対に引き出したコードを巻き取るときに、その長さを段階的に分けて調節できるものはなく、一気に最短に巻き取るものだけであった。
ところが、特許文献１のコードリールは、コードを引き出す場合において、当該コードの引出し後の位置決めは、円弧形の溝とボールが相互にスライドして位置決めするようになっていて、コードを引き出したときに暫時位置決めする構成であり、コードの全長を引き出して所定長さの位置で制止することが可能である。しかしながら、コードを巻き戻すときは、コードを一度引っ張ってから巻き戻す操作を必要とする。
【０００６】
そこで、本考案は携帯電話のイヤホーン等のコードの巻取り器において、引き出したコードを巻き取るときに、コードを一々少し引っ張ってから戻す操作を不要とし、押しボタンを押すだけのワンタッチ操作で巻き取りができ、しかも最長から最短に至るまで複数段回に分けて長さ調節を行えるようにとなることを目的とする。
【０００７】
本考案の第１は、携帯電話用コードの巻取り器において、対面する左右の壁体の一方の壁体にゼンマイを収納した有底の円筒型リールを回転できるように軸止めすると共にその外底円周の傾斜面に沿って傾斜段差部を成形し、且つ当該リールの円周内壁の約半周に渡ってコードの中間部位を沿わせて収納して両側を同リールの円周面の切欠き凹溝から引き出し、他方の壁体に円筒型リールの傾斜段差部に掛止するストッパー機構とその作動用押しボタンを設け、コードを引き出すために左右方向に引張力を与えたとき、円筒型リールがストッパーの作動により複数段階で停止できるようにし、引き出したコードを巻き取るために押しボタンを押すことにより、ストッパーの作動により複数段階で停止できるようにするものである。
【０００８】
本考案の第２は、第１の考案に係る携帯電話用コードの巻取り器において、対面する壁体のうち、他方の壁体の外面に円板状のバネ付きクリップを設けるものである。
【考案の効果】
【０００９】
本考案は上記の構成であるから、次の効果がある。すなわち、コード巻取器において、引き出したコードを巻き取るときに、コードを一々少し引っ張ってから戻す操作を不要となり、押しボタンを押すだけのワンタッチ操作で巻き取りができ、また、押しボタンを瞬時に押し離すだけのしかも最長から最短に至るまで間を複数段回に分けて行えるようになる。
また、巻取り器の押しボタンと反対側の壁体の外面に円板状のバネ付きクリップを一体に設けられていることにより、当該巻取り器を洋服やシャツの胸ポケットの開口縁辺や前身頃のボタン孔側の前立ての縁辺に挟持することがでいると共に、その巻取り器を安定した状態でイヤホーンコードと携帯電話側の差し込むプラグを簡単且つ容易迅速引き出し、または巻き取ることができる。
【考案を実施するための最良の形態】
【００１０】
携帯電話用コード巻取り器の本体の対面する左右の壁体のうち、一方の壁体にゼンマイを収納した有底ドラムを回転できるように軸止めしておく。有底円筒型リールの外底の円周に沿って成形した傾斜面に傾斜段部を成形し、且つ当該リールの円周内壁の約半周に渡ってコードの中間部位を沿わせて収納して両側を同リールの円周面の切欠凹溝から引き出す。また、他方の壁体にドラムの傾斜段部に掛止するストッパー機構とその段部に掛脱するための押しボタンを設け、コードを引き出すために左右方向に引張力を与えたとき、リールがストッパーの作動により複数段階で停止できるようにする。引き出したコードを巻き取るために押しボタンを押すことにより、ストッパーの作動により複数段階で停止できるようにする。また、対面する他方の壁体の外面に円板状のクリップを設ける。
【実施例】
【００１１】
図において、１は携帯電話用コード巻取り器の本体、２はその本体を構成する壁体であり、二つ割りして対面する左右の壁体２′・２″のうち、一方の壁体２′にゼンマイ４を収納した有底円筒型リール３を回転できるように取付軸５で軸支すると共にその外底に円周面に沿って段部３2付きの傾斜面３1を成形してある。また、当該押しボタンの下面には、他方の壁体２″に掛止孔２1″に掛止する脚片１１′が成形されている。６は上記のリール３の円周内壁に沿って約半周にわたってコード収納溝６1を成形したコードの収納ガイド、７はその円筒型リール３の直径方向の円周面に成形した切り欠き溝、８は他方の壁体２″に細い取付軸９で他方の壁体２″の浅底外面から内面に挿通し、回動できるように軸止めした鉤針形ストッパー、１０はその鉤針形ストッパーの挿通溝、１１はそのストッパー８を作動させるためのバネ付きの押しボタンであり、巻取り器本体１の他方の壁体３2″の外径より小径の円盤形になっている。１２はその押しボタン１１を収納するための他方の壁体２″の外表面に成形した淺底の円形凹部、１３は一端にイヤホーンを、他端に差込みプラグを有するコードであり、中央部をリール３の内周のガイド溝６1に収納して切欠き溝７から引き出し、常時はゼンマイバネ４の巻締め力によってコードを同一方向に向けて巻き取らせるようになっている。当該コードの長さは巻取り器の大きさや形状により異なるが、図示例は約８０ｃｍであり一端にイヤホーン、他端に携帯電話に差し込むプラグがあらかじめ接続されている。１５は押しボタン１１の復元用バネ、１６は一方の壁体２′の外面に設けたバネ１７で挟持作用するクリップ、１８はコードの一端に接するイヤホーン、１９は携帯電話に差し込むプラグを示す。上記巻取り器本体１の対面する壁体２′・２″は、その内空部に円筒型リール３、当該リール内にゼンマイ４を収納し及びコード１３を収納溝６1に収納装着し、切欠き溝７から壁体ブリッジ２１・２２の開口１４を通して引き出した後に当該ブリッジの接合部をピンとピン穴で連結した後、強力接着剤等で結合する。
【００１２】
「具体的使用例１」
（１）  図１は、全長約８０ｃｍのイヤホーンコード１３を同一方向に円筒型リール３に沿って巻き取らすと共に、二つ割りに成形して対面する左右壁体２′・２″の長手方向の設けたブリッジ２1・２2の接合部設けた引出口１４・１４から左右（又は上下）方向に引き出し、当該コードを円筒型リール３に最短に長さになるまで巻き取らせてある。
（２）  図１の状態で、両端に接続しているイヤホーン１８と差し込みプラグ１９が接続されているコード１３を左右（又は上下）方向に均等の力で、且つ長さで左右方向に引き出すと円筒型リール３が当該リールに収納してあるゼンマイバネ４の巻き解き向に作用する力に抗しながら引き出される(図２)。
（３）  上記（２）の状態でコード１３を全長まで引き出しきる、又は全長の途中まで引き出したコード１３の引き出す力を緩めると、ゼンマイバネ４の巻き締め方向に作用する力でコード１３に巻き取られる作用が働くが、このとき有底円筒型リール外面の円周傾斜面３1の段差部３2に鉤針形ストッパー８の先端８1が掛止してリール３は停止する。
（４）  そして、上記（３）の状態で押しボタン１１を瞬時に押し離すと、当該鉤針形ストッパー８の先端８1がリールの段差部３2の掛止が外れてリール３が巻き取り方向に回転する。１回転すると、再び当該鉤針形ストッパー８の先端８1がリール３の段差部３2に掛止してコード１３の巻き取りが停止する。
なお、1回のコード１３の引出し量は円筒型リール３の直径とストッパー８が掛止する段差部３2の数に関係によって決まる。ちなみに本実施例の場合は、リールの直径１８ｍｍ、１回のコード引出し量は、約６０〜８０ｍｍ、リールの段差部３2は１個所に設定してある。これによって、コード巻き取りに際して、５段階に停止することが可能である。
（５）  巻取り器本体１の他方の壁板２″の外表面のバネ１７付きクリップ１６を上着やシャツのポケット開口縁部又は前身頃のボタン孔近傍の縁辺に挟持して使用する。
【産業上の利用可能性】
【００１３】
本考案にあっては、コード１３の両端にイヤホーン１８と携帯電話の差込口に差し込むプラグ１９とを備えたものを示すが、これとは別に一端にｉポット用差込みプラグと他端にパソコンに接続するＵＳＢコネクタを接続して利用する等、コードの両端の端子の取付けは任意である。
【図面の簡単な説明】
【００１４】
【図１】イヤホーンコードを最短長さに巻き取った本考案に係る巻き取り器の斜視図である。
【図２】図１の状態から最長の長さの途中段階の長さまで引き出して停止したイヤホーンコード巻取り器の斜視図である。
【図３】携帯電話用イヤホーンコード巻取り器の３−３線に沿う拡大断面図である。
【図４】図２の４−４線に沿う拡大断面図である。
【図５】図1の押しボタンの内面図である。
【図６】押しボタンを取り外した他方の壁体の正面図である。
【図７】図６の内面図である。
【図８】クリップを有する壁体の背面図である。
【図９】図８の内面図である。
【図１０】コードリールの外面図である。
【図１１】図１０の内面図である。
【図１２】図１０の側面図である。
【符号の説明】
【００１５】
１……巻取り器の本体
２（２′・２″）……巻取り器本体の壁体
３……有底円筒型リール
４……ゼンマイ
５……リール取付軸
６……コード収納ガイド
７……コード引出し用切欠き溝
８……鉤針形ストッパー
９……ストパーの軸受け
１０……鉤針形ストッパーの挿通溝
１１……押しボタン
１２……浅底の円形凹部
１３……コード
１４……コード引出し口
１５……押しボタン用バネ
１６……挟持用クリップ
１７……クリップ用バネ
１８……イヤホーン
１９……差込プラグ
【図１】
0003154608.tif 000003
【図２】
0003154608.tif 000004
【図３】
0003154608.tif 000005
【図４】
0003154608.tif 000006
【図５】
0003154608.tif 000007
【図６】
0003154608.tif 000008
【図７】
0003154608.tif 000009
【図８】
0003154608.tif 000010
【図９】
0003154608.tif 000011
【図１０】
0003154608.tif 000012
【図１１】
0003154608.tif 000013
【図１２】
0003154608.tif 000014